(57)【要約】【課題】遮光体を、日射の有る時には遮光姿勢、日射の無い時には採光姿勢にできるようにした日射遮蔽体とする。【解決手段】自己温度感知型の駆動体２０の感温部２１を電気ヒータ２２で加熱し、その感温部２１が設定温度以上の温度を感知した時に駆動部２３が伸びるようにし、その駆動部２２と遮光体（ルーバー羽根２）を連結手段２４で、駆動部２３が伸びることで遮光体が遮光姿勢となるように連結し、前記電気ヒータ２２を太陽電池パネル３で発電した電力によって発熱することで、日射の有る時には遮光体を遮光姿勢に回転できるようにする。【選択図】図３
2009161904.tif 000002
【特許請求の範囲】
【請求項１】
枠体内に複数の遮蔽体を、遮光姿勢と採光姿勢とに亘って回転自在に取付けた日射遮蔽装置であって、
太陽電池パネルと、この太陽電池パネルで発電した電力を利用して前記遮蔽体を回転する遮蔽体回転機構を備え、
前記遮蔽体を採光姿勢に保持し、
前記遮蔽体回転機構は、自己温度感知型の駆動体と、その感温部を加熱する電気ヒータを有し、その駆動体の駆動部が駆動することで前記遮蔽体が遮光姿勢に回転し、
前記電気ヒータを、前記太陽電池パネルの発電した電力で発熱するようにしたことを特徴とする日射遮蔽装置。
【請求項２】
駆動体の駆動部は弾性部材で縮み駆動保持され、かつその感温部が設定温度以上を感知することで伸び駆動し、
この駆動部と前記遮蔽体を、その駆動部が縮み駆動、伸び駆動することで遮蔽体が採光姿勢、遮光姿勢に回転するように連結手段で連結した請求項１記載の日射遮蔽装置。
【請求項３】
遮蔽体を手動操作で採光姿と遮光姿勢とに回転する手動操作部と、
連結手段を不連続状態として遮蔽体と駆動体の駆動部が連結されない状態とする切換手段を設けた請求項２記載の日射遮蔽装置。
【請求項４】
遮蔽体を回転自在に支承する支軸に歯車を取付け、
手動で回転される回転体と、この回転体の回転を前記歯車に伝える回転伝達手段で手動操作部とし、
前記歯車に設けたピンを駆動体の駆動部に設けた溝に、その駆動部の伸び、縮みにより歯車が正逆回転するように嵌合して連結手段とし、
前記駆動部を、その溝がピンに嵌合する連結位置と、その溝からピンが外れる非連結位置に亘って回転自在とし、この駆動部を連結位置、非連結位置に回転する操作杆を設けて切換手段とした請求項３記載の日射遮蔽装置。
【発明の詳細な説明】
【技術分野】
【０００１】
本発明は、可動式の遮光ルーバー、ブラインド等の日射を遮光したり、採光したりする日射遮蔽装置に関する。
【背景技術】
【０００２】
従来、日射遮蔽装置としては可動式の遮光ルーバー、ブラインドが知られている。
従来の可動式の遮光ルーバーは、複数のルーバー羽根を備え、このルーバー羽根を、日射（太陽光）を遮蔽して室内に入射しないようにする遮光姿勢と、日射が室内に入射可能な採光姿勢とに回転するようにしている。
従来のブラインドは、複数のスラットを遮光姿勢と採光姿勢とに回転可能としている。
前述した遮光ルーバー、ブラインドにおいては、ルーバー羽根、スラット（以下遮蔽体という）を、手動操作で回転するのが一般的であるが、その遮蔽体を自動的に採光姿勢、遮光姿勢に回転する日射遮蔽装置が特許文献１に開示されている。
【０００３】
この特許文献１に開示された日射遮蔽装置は、自己温度感知形の駆動体を備え、その駆動体の感温部の雰囲気の温度変化によって駆動体が駆動することで遮蔽体（回転羽根）を採光姿勢、遮光姿勢に回転している。
【特許文献１】特開平１０−２０８５３２号公報
【発明の開示】
【発明が解決しようとする課題】
【０００４】
前述した従来の日射遮蔽装置は、駆動体の感温部の雰囲気の温度変化に頼っているため、日射の有無に応じて遮蔽体を正確に回転することが難しく、日射の有る時には遮光姿勢、日射の無い時には採光姿勢に正確に回転動作できない。
例えば、駆動体の感温部が室外側に設置されている場合、室外の温度の影響を受け易いため、日射が無くても室外の温度が高ければ駆動体によって遮蔽体が採光姿勢となり、日射が有っても室外の温度が低ければ遮蔽体が遮光姿勢となることがある。
また、駆動体の感温部を室内側に設置して室外の温度の影響を受けないようにした場合には、室内の温度によって遮蔽体が回転することになるので、室内を空調している時には日射の有無にかかわらず遮蔽体が回転せずに遮光姿勢又は採光姿勢のままとなる。
【０００５】
本発明の目的は、日射の有無に応じて遮蔽体を回転して日射の有る時には遮光姿勢、日射の無い時には採光姿勢にできるようにした日射遮蔽装置とすることである。
【課題を解決するための手段】
【０００６】
本発明は、枠体内に複数の遮蔽体を、遮光姿勢と採光姿勢とに亘って回転自在に取付けた日射遮蔽装置であって、太陽電池パネルと、この太陽電池パネルで発電した電力を利用して前記遮蔽体を回転する遮蔽体回転機構を備え、前記遮蔽体を採光姿勢に保持し、
前記遮蔽体回転機構は、自己温度感知型の駆動体と、その感温部を加熱する電気ヒータを有し、その駆動体の駆動部が駆動することで前記遮蔽体が遮光姿勢に回転し、前記電気ヒータを、前記太陽電池パネルの発電した電力で発熱するようにしたことを特徴とする日射遮蔽装置である。
【０００７】
本発明においては、駆動体の駆動部は弾性部材で縮み駆動保持され、かつその感温部が設定温度以上を感知することで伸び駆動し、この駆動部と前記遮蔽体を、その駆動部が縮み駆動、伸び駆動することで遮蔽体が採光姿勢、遮光姿勢に回転するように連結手段で連結することができる。
このようにすることで、日射がない時には遮光体は弾性部材で採光姿勢に保持され、日射が有る時には遮光体が遮光姿勢となる。
【０００８】
本発明においては、遮蔽体を手動操作で採光姿勢と遮光姿勢とに回転する手動操作部と、連結手段を不連続状態として遮蔽体と駆動体の駆動部が連結されない状態とする切換手段を設けることができる。
このようにすれば、切換手段で連結手段を不連続状態とし、手動操作部で遮蔽体を回転して採光姿勢、遮光姿勢にできるから、日射の有無に関係なく採光姿勢、遮光姿勢にできる。
また、手動で遮光体を回転する時には、その遮光体の回転が駆動体の駆動部に伝わらないので、小さな操作力で遮光体を回転できる。
【０００９】
本発明においては、遮蔽体を回転自在に支承する支軸に歯車を取付け、手動で回転される回転体と、この回転体の回転を前記歯車に伝える回転伝達手段で手動操作部とし、前記歯車に設けたピンを駆動体の駆動部に設けた溝に、その駆動部の伸び、縮みにより歯車が正逆回転するように嵌合して連結手段とし、前記駆動部を、その溝がピンに嵌合する連結位置と、その溝からピンが外れる非連結位置に亘って回転自在とし、この駆動部を連結位置、非連結位置に回転する操作杆を設けて切換手段とすることができる。
このようにすれば、操作杆で駆動部を非連結位置とした状態で回転体を手動で回転することで、遮光体を採光姿勢、遮光姿勢とすることができる。
【発明の効果】
【００１０】
本発明によれば、遮光体を太陽電池パネルが発電した電力を利用して遮光姿勢に回転するので、日射の有無に応じて遮蔽体を回転して日射の有る時には遮光姿勢、日射の無い時には採光姿勢にできる。
【発明を実施するための最良の形態】
【００１１】
図１に示すように、枠体１と、この枠体１内に設けた複数の遮蔽体、例えばルーバー羽根２を備え、その各ルーバー羽根２は図１、図２に示す採光姿勢と遮光姿勢とに亘って回転自在で、これによって日射遮蔽装置、例えば可動式の遮光ルーバーとしてある。
前記ルーバー羽根２が遮光姿勢の時には遮光ルーバーは、日射が室内に入射しない遮光状態で、採光姿勢の時には遮光ルーバーは、日射が室内に入射する採光状態である。
前記枠体１は、上枠１０と下枠１１と左右の縦枠１２を方形状に連結してある。
【００１２】
前記各ルーバー羽根２は、その長手方向両端部が左右の縦枠１２に支軸１３で回転自在に支承されている。
前記各ルーバー羽根２は同期して回転するように連結してある。
例えば、図２に示すように、各支軸１３にレバー１４をそれぞれ取付け、この各レバー１４を連動杆１５にそれぞれピン１６で連結することで、１つの支軸１３が回転することによって連動杆１５が上下、室内外側方向に移動し、それによってレバー１４を介して他の支軸１３が回転するようにしてある。
【００１３】
前記ルーバー羽根２は採光姿勢に保持されている。
例えば、後述する駆動体２０に設けた弾性部材２５でルーバー羽根２は採光姿勢に保持されている。
これに限ることはなく、前述の連動杆１５を弾性部材で上下いずれか一方に移動保持してルーバー羽根２を採光姿勢に保持しても良い。
【００１４】
図１、図２に示すように、前記枠体１に太陽電池パネル３が取付けてある。例えば縦枠１２の室外側面に太陽電池パネル３が取付けてある。
この太陽電池パネル３で発電した電力を利用してルーバー羽根２を遮光姿勢に回転する遮蔽体回転機構４が図１に示すように枠体１、例えば縦枠１２に取付けてある。
【００１５】
前記遮蔽体回転機構４は、図３〜図５に示すように、自己温度感知型の駆動体２０と、その駆動体２０の感温部２１を加熱する電気ヒータ２２を備え、その電気ヒータ２２が前記太陽電池パネル３の電力で発熱されるようにしてある。
前記駆動体２０は、その感温部２１が設定温度以上を感知すると駆動部２３が駆動、例えば伸びるサーモエレメントと呼ばれるもので、その駆動部２３と、１つのルーバー羽根２が連結手段２４で、駆動部２３が駆動するとルーバー羽根２が遮光姿勢となるように連結してある。
【００１６】
このようであるから、日射が有る時には太陽電池パネル３に太陽光が照射するので発電し、その発電した電力で電気ヒータ２２が発熱する。
この電気ヒータ２２の発熱によって感温部２１が加熱され、設定温度以上となると駆動部２３が駆動し、ルーバー羽根２が遮光姿勢となる。
前述の状態において曇ったりして日射が無くなると太陽電池パネル３の発電が弱まり、電気ヒータ２２が発熱しなくなるので、感温部２１が自然冷却されてルーバー羽根２が採光姿勢となる。
【００１７】
前記遮蔽体回転機構４の詳細を説明する。
図３に示すように、縦枠１２は縦枠本体１７とカバー体１８で空洞部１２ａを有している。前記縦枠本体１７は室内外側方向に向う基板１７ａと、この基板１７ａの室内・外側端に設けた室内側板１７ｂ、室外側板１７ｃで断面ほぼコ字形状である。
前記基板１７ａにルーバー羽根２の支軸１３が回転自在に支承してあり、その支軸１３の空洞部１２ａ内に突出した部分に前述のレバー１４が設けてあると共に、連動杆１５が空洞部１２ａ内に設けてある。
前記カバー体１８は室内、外側板１７ｂ，１７ｃ間に跨って着脱自在に取付けてある。
【００１８】
前記縦枠１２の空洞部１２ａ内に遮蔽体回転機構４が取付けてある。
例えば、縦枠本体１７の室外側板１７ｃにブラケット４０を取付け、そのブラケット４０に前述の駆動体２０が取付けてある。
このブラケット４０は図４に示すように、縦片４０ａと上横片４０ｂと下横片４０ｃでほぼコ字形状で、その縦片４０ａが室外側板１７ｃに取付けてある。
前記感温部２１が上横片４０ｂに取付けてあり、駆動部２３と下横片４０ｃとの間にスプリング等の弾性部材２５が設けられ、その弾性部材２５で駆動部２３を縮み方向に押している。
前記電気ヒータ２２は面状発熱体で、感温部２１の周囲を囲むように取付けてある。
【００１９】
前記連結手段２４の一例を説明する。
前記連結手段２４は、駆動部２３の伸び、縮みを支軸１３の回転に変換するものである。
例えば、支軸１３と同心状に歯車２６を回転自在とし、この歯車２６に前記ピン１６を、歯車２６の回転でレバー１４が揺動するように連結し、駆動部２３に溝２７を設け、前記歯車２５に設けたピン２８を前記溝２７に嵌合し、駆動部２３が伸び、縮みすると、溝２７に沿ってピン２８が室内外側方向にスライドしながら上下に移動して歯車２６が正逆回転するようにしてある。
前記歯車２６が正逆回転することで、支軸１３とともルーバー羽根２が採光姿勢、遮光姿勢に回転する。
【００２０】
この実施の形態では、駆動部２３に溝２７を有したプレート２９を固着してあるので、その溝２７の室内外側方向の長さが長く、駆動部２３の伸び、縮みによって歯車２６を所定の角度だけ正逆回転できるようにしてある。
なお、溝２７は駆動部２３に直接形成しても良い。
【００２１】
このようであるから、初期状態は駆動部２３が弾性部材２５で縮み位置に保持され、溝２７に嵌合しているピン２８を介して歯車２６が正回転（矢印ａ方向の回転）してレバー１４、支軸１３を介してルーバー羽根２が採光姿勢に保持される。（図４参照）
前述の状態で、日射によって太陽電池パネル３が発電すると、その電力で電気ヒータ２２が発熱し、感温部２１が設定温度以上を感知すると駆動部２３が図６に示すように弾性部材２５に抗して伸び、溝２７とピン２８で歯車２６が逆回転（矢印ｂ方向の回転）し、前述のようにレバー１４、支軸１３を介してルーバー羽根２が遮光姿勢に回転する。
【００２２】
前述の状態で日射が無くなると、太陽電池パネル３の発電が弱まり、電気ヒータ２２が発熱しなくなるので、感温部２１が自然冷却され、駆動部２３が弾性部材２５で縮み、前述のようにルーバー羽根２が採光姿勢に回転して保持される。
【００２３】
図１に示すように、枠体１、例えば縦枠１２にはルーバー羽根２を手動で回転して採光姿勢、遮光姿勢とする手動操作部５と、前記連結手段２４を不連続状態とする切換手段６が取付けてある。
前記手動操作部５は、図３〜図５に示すように縦枠本体１７の室内側板１７ｂに設けたハウジング３０に回転自在に支承され、手動で回転される回転体３１と、その回転体３１の回転を支軸１３に伝える手段を備えている。
この回転伝達手段３２は、前記回転体３１の回転中心に設けた補助歯車３３を前記歯車２６に噛合してある。
【００２４】
このようであるから、切換手段６で連結手段２４を不連続状態として駆動部２３とルーバー羽根２が連結されない状態とし、回転体３１を手動で回転することで歯車２６が回転することによってルーバー羽根２を採光姿勢、遮光姿勢とすることができる。
また、この手動操作時には駆動体２０の駆動部２３が動くことがないので、回転体３１を小さな力で回転できる。
【００２５】
前記切換手段６は、駆動体２０の駆動部２３を、前記溝２６にピン２７が嵌合する連結位置と溝２６からピン２７が外れる非連結位置に亘って回転自在とする。
例えば、駆動体２０の駆動部２３に軸孔４１を形成し、この軸孔４１を前記ブラケット４０の下横片４０ｃに設けた軸４２に摺動自在に嵌挿して駆動部２３が軸４２の回りに回転自在とする。
前記駆動部２３を非連結位置に回転する操作杆４３を縦枠１２に取付ける。
例えば、縦枠本体１７の室内側板１７ｂに設けたナット部材４４にねじ杆４５を螺合し、そのねじ杆４５を駆動部２３の切欠部２３ａと対向する。
【００２６】
そして、ねじ杆４５をねじ込んで駆動部２３の切欠部２３ａに押しつけ、さらにねじ込むことで駆動部２３が矢印ｃ方向に回転して図７に示すように、溝２７がピン２８と離れて非連結位置となる。
この時、コイルスプリング４６が巻きつけられて駆動部２３を矢印ｃと反対方向に回転する力が貯えられる。
前述の状態からねじ杆４５を弛めて駆動部２３の切欠部２３ａと離すと、駆動部２３はコイルスプリング４６の戻り力で矢印ｃと反対方向に回転し、その溝２７にピン２８が嵌合して連結状態となる。
【００２７】
前述の実施の形態は複数のルーバー羽根を備えた可動式の遮光ルーバーとしたが、複数のスラットを備えたブラインドでも良いことは勿論である。
また、本発明の日射遮蔽装置は、建物開口部内に取付けたり、カーテンウオールの室外側部に取付けしたり等、種々の使用形態が可能である。
【図面の簡単な説明】
【００２８】
【図１】本発明の実施の形態を示す可動式の遮光ルーバーの採光状態の内観図である。
【図２】可動式の遮光ルーバーの採光姿勢の縦断面図である。
【図３】図１のＡ−Ａ断面図である。
【図４】図３のカバー体を外した状態の側面図である。
【図５】遮光体回転機構と手動操作部と切換手段と連結手段を分解した斜視図である。
【図６】ルーバー羽根が遮光状態の縦断面図である。
【図７】連結手段の動作説明図である。
【符号の説明】
【００２９】
１…枠体、２…ルーバー羽根（遮光体）、３…太陽電池パネル、４…遮光体回転機構、５…手動操作部、６…切換手段、１２…縦枠、１３…支軸、１４…レバー、１５…連動杆、１６…ピン、２０…駆動体、２１…感温部、２２…電気ヒーター、２３…駆動部、２４…連結手段、２５…弾性部材、２６…歯車、２７…溝、２８…ピン、３１…回転体、４３…操作杆、４５…ねじ杆。
【図１】
2009161904.tif 000003
【図２】
2009161904.tif 000004
【図３】
2009161904.tif 000005
【図４】
2009161904.tif 000006
【図５】
2009161904.tif 000007
【図６】
2009161904.tif 000008
【図７】
2009161904.tif 000009